【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示手段における可変表示結果が予め定められた特定表示結果となったときに、遊技者にとって有利な特定遊技状態に制御する遊技機であって、
前記特定遊技状態に制御するか否かを、前記識別情報の可変表示結果を導出表示する前に決定する事前決定手段と、
前記識別情報の可変表示が開始されてから可変表示結果が導出表示されるまでに仮停止させた後に再度可変表示を実行する再可変表示パターンを含む複数種類の前記識別情報の可変表示パターンのうちから１の可変表示パターンを決定する可変表示パターン決定手段と、
前記再可変表示パターンによる前記識別情報の可変表示に対応して実行される再可変表示演出として、第１再可変表示演出と、該第１再可変表示演出と異なる態様の第２再可変表示演出と、前記第１再可変表示演出と前記第２再可変表示演出とが組み合わされた第３再可変表示演出とを実行可能な再可変表示演出制御手段と、
前記識別情報の可変表示中にて移行条件が成立したときに、互いに演出態様が異なる複数のステージのうち、いずれかのステージに移行する制御を行うステージ移行制御手段とを備え、
前記第３再可変表示演出が実行されたときは、前記第１再可変表示演出および前記第２再可変表示演出のいずれかが実行されたときよりも高い割合で前記特定遊技状態に制御される、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、各々を識別可能な複数種類の識別情報を可変表示する可変表示手段における可変表示結果が予め定められた特定表示結果となったときに、遊技者にとって有利な特定遊技状態に制御する遊技機に関する。
【手続補正３】
【補正対象書類名】明細書
【補正対象項目名】０００５
【補正方法】変更
【補正の内容】
【０００５】
特許文献１に記載の技術では、遊技興趣を向上させることが困難になるおそれがある。
【手続補正４】
【補正対象書類名】明細書
【補正対象項目名】０００６
【補正方法】変更
【補正の内容】
【０００６】
この発明は、上記実状に鑑みてなされたものであり、遊技興趣を向上させることができる遊技機を提供することを目的とする。
【手続補正５】
【補正対象書類名】明細書
【補正対象項目名】０００７
【補正方法】変更
【補正の内容】
【０００７】
（１）上記目的を達成するため、本願に係る遊技機は、各々を識別可能な複数種類の識別情報（例えば飾り図柄など）を可変表示する可変表示手段（例えば演出表示装置９など）における可変表示結果が予め定められた特定表示結果（例えば大当り組合せの確定飾り図柄など）となったときに、遊技者にとって有利な特定遊技状態（例えば大当り遊技状態など）に制御する遊技機（例えばパチンコ遊技機１など）であって、前記特定遊技状態に制御するか否かを、前記識別情報の可変表示結果を導出表示する前に決定する事前決定手段（例えば遊技制御用マイクロコンピュータ５６０のＣＰＵ５６がステップＳ２３５の処理を実行する部分など）と、前記識別情報の可変表示が開始されてから可変表示結果が導出表示されるまでに仮停止させた後に再度可変表示を実行する再可変表示パターンを含む複数種類の前記識別情報の可変表示パターンのうちから１の可変表示パターンを決定する可変表示パターン決定手段（例えばＣＰＵ５６がステップＳ１１１の変動パターン設定処理を実行する部分など）と、前記再可変表示パターンによる前記識別情報の可変表示に対応して実行される再可変表示演出として、第１再可変表示演出と、該第１再可変表示演出と異なる態様の第２再可変表示演出と、前記第１再可変表示演出と前記第２再可変表示演出とが組み合わされた第３再可変表示演出とを実行可能な再可変表示演出制御手段（例えば演出制御用ＣＰＵ１０１が、ステップＳ５０９の処理を実行した後に、ステップＳ５２３にて読み出した各種データに基づきステップＳ５２５の演出制御指令処理を実行する部分など）と、前記識別情報の可変表示中にて移行条件が成立したときに、互いに演出態様が異なる複数のステージのうち、いずれかのステージに移行する制御を行うステージ移行制御手段（例えば演出制御用ＣＰＵ１０１がステップＳ５２６におけるＹｅｓの判定に基づき、ステップＳ５２７〜Ｓ５２９の処理を実行する部分など）とを備え、前記第３再可変表示演出が実行されたときには、前記第１再可変表示演出および前記第２再可変表示演出のいずれかが実行されたときよりも高い割合で前記特定遊技状態に制御される（例えば図３１を参照）。
このような構成によれば、遊技興趣を向上させることができる。
【手続補正６】
【補正対象書類名】明細書
【補正対象項目名】０００８
【補正方法】変更
【補正の内容】
【０００８】
（２）あるいは、本願に係る遊技機は、可変表示の開始条件（例えばステップＳ２０１におけるＹｅｓの判定とステップＳ２０２におけるＮｏの判定に基づき、ステップＳ２０３〜ステップＳ２０６の処理が実行された後に、ステップＳ２３１にてＮｏと判定されたことなど）が成立したことに基づいて、各々を識別可能な複数種類の識別情報（例えば飾り図柄など）を可変表示する可変表示手段（例えば演出表示装置９など）を備え、前記可変表示手段における可変表示結果が予め定められた特定表示結果（例えば大当り組合せの確定飾り図柄など）となったときに、遊技者にとって有利な特定遊技状態（例えば大当り遊技状態など）に制御する遊技機（例えばパチンコ遊技機１など）であって、前記特定遊技状態に制御するか否かを、前記識別情報の可変表示結果を導出表示する前に決定する事前決定手段（例えば遊技制御用マイクロコンピュータ５６０のＣＰＵ５６がステップＳ２３５の処理を実行する部分など）と、前記識別情報の可変表示と並行して、予め定められた順番に従い１段階から複数段階まで演出の態様を段階的に変化させるステップアップ予告演出を実行可能な予告演出実行手段（例えば演出制御用ＣＰＵ１０１が、ステップＳ５０７の処理を実行した後に、あるいは、ステップＳ５２８の処理を実行した後に、ステップＳ５２３にて読み出した表示制御データに基づきステップＳ７４３の処理を実行する部分や、ステップＳ５２３にて読み出した報知装置制御データに基づきステップＳ７４９の処理を実行する部分など）と、前記ステップアップ予告演出を実行するか否かを決定し、実行する旨の決定がなされたときに、前記事前決定手段の決定結果に基づいて、前記特定表示結果とする場合は該特定表示結果としない場合よりも高い割合で、前記ステップアップ予告演出において多くの段階まで演出の態様を段階的に変化させることを決定するステップアップ予告演出実行決定手段（例えば演出制御用マイクロコンピュータ１００の演出制御用ＣＰＵ１０１がステップＳ７０１〜Ｓ７０７の処理を実行する部分など）と、前記ステップアップ予告演出におけるステップ数を報知するステップ数報知手段（例えばステップアップ数報知装置１３など）と、操作手段（例えば操作ボタン３８）に対する操作を検出する操作検出手段（例えば操作検出スイッチ３８ａ）と、前記演出制御手段は、前記識別情報の可変表示中にて前記操作検出手段によって操作が検出されたときに、互いに演出態様が異なる複数のステージのうち、いずれかのステージに移行する制御を行うステージ移行制御手段（例えば演出制御用ＣＰＵ１０１がステップＳ５２６におけるＹｅｓの判定に基づき、ステップＳ５２７〜Ｓ５２９の処理を実行する部分など）と、前記複数のステージに共通の報知態様で、前記ステップ数報知手段によりステップ数を報知させるステップ数報知制御手段（例えば演出制御用ＣＰＵ１０１が、ステップＳ５０７の処理を実行した後に、あるいは、ステップＳ５２８の処理を実行した後に、ステップＳ５２３にて読み出した報知装置制御データに基づきステップＳ７４９の処理を実行する部分など）とを備え、前記予告演出実行手段は、前記ステップアップ予告演出として、前記複数のステージに対応して、それぞれに固有の演出態様となる予告演出（例えばステージＸ１であれば図５９（Ａ１）〜（Ａ４）に示す演出画像を順次に表示し、ステージＸ２であれば図５９（Ｂ１）〜（Ｂ４）に示す演出画像を順次に表示し、ステージＹ１であれば図５９（Ｃ１）〜（Ｃ４）に示す演出画像を順次に表示し、ステージＹ２であれば図５９（Ｄ１）〜（Ｄ４）に示す演出画像を順次に表示することなど）を実行してもよい（例えば演出制御用ＣＰＵ１０１が、ステップＳ５０７の処理を実行した後にステップＳ５０９にてパチンコ遊技機１における現在の演出状態が複数のステージＸ１、Ｘ２、Ｙ１、Ｙ２のいずれであるかに対応した予告演出の実行制御を行う部分や、ステップＳ５２８の処理で、例えば表示動作や音声出力に用いるデータを指定する指令をＶＤＰ１０９や音声出力基板７０に対して出力した後、ステップＳ５２３にて読み出した表示制御データに基づきステップＳ７４３の処理を実行する部分など）。なお、複数のステージに共通の報知態様は、ステージ移行制御手段によって移行可能な全ステージに共通の報知態様であってもよいし、ステージ移行制御手段によって移行可能な全ステージのうち、少なくとも移行前のステージと移行後のステージとからなる２つのステージに共通の報知態様であってもよい。また、複数のステージそれぞれに固有の演出態様は、複数のステージそれぞれに特有の演出態様、あるいは、複数のステージそれぞれに１対１で対応付けられた演出態様、あるいは、複数のステージそれぞれに個別で定められた演出態様などといった、複数のステージのいずれであるかに応じて演出態様が異なることを意味している。
このような構成によれば、識別情報の可変表示中にて操作検出手段によって操作が検出されたときに、ステージ移行制御手段によって、互いに演出態様が異なる複数のステージのうち、いずれかのステージに移行する制御が行われる。また、予告演出実行手段は、複数のステージに対応して、それぞれに固有の演出態様となるステップアップ予告演出を、識別情報の可変表示と並行して実行する。そして、ステップ数報知制御手段は、複数のステージに共通の報知態様で、ステップ数報知手段によりステップ数を報知させる。これにより、識別情報の可変表示中にてステップアップ予告演出が実行されているときにステージの移行が行われても、ステップ数報知手段による報知内容からステップアップ予告演出のステップ数を容易に判別することができる。
【手続補正７】
【補正対象書類名】明細書
【補正対象項目名】０００９
【補正方法】変更
【補正の内容】
【０００９】
（３）上記（２）の遊技機において、前記予告演出実行手段は、前記ステップアップ予告演出実行決定手段によりステップアップ予告演出を実行する旨の決定がなされたときに、前記複数のステージのそれぞれに対応する画像データを展開させ、前記識別情報の可変表示中にて前記ステージ移行制御手段によりステージの移行が行われたときに、移行元のステージに対応する画像データを用いたステップアップ予告演出から、移行先のステージに対応する画像データを用いたステップアップ予告演出への変更を行う（例えば演出制御用ＣＰＵ１０１がステップＳ５０７の処理を実行した後にステップＳ７４３の処理を実行する部分、及び、ステップＳ５２８の処理を実行する部分など）ように構成されてもよい。なお、画像データを展開させるときには、所定の不揮発性記憶装置（例えばＣＧＲＯＭなど）に記憶された画像データの読出動作や、読み出した画像データが圧縮データである場合にこれを伸張する動作、読み出した画像データを所定の一時記憶装置（例えばＶＲＡＭやフレームメモリなど）に書き込む動作のうち、いずれか１つの動作が実行されてもよいし、あるいは、複数の動作が組み合わされて実行されてもよく、描画（レンダリング）と称される動作が行われてもよい。
【手続補正８】
【補正対象書類名】明細書
【補正対象項目名】００１１
【補正方法】変更
【補正の内容】
【００１１】
（４）上記（２）の遊技機において、前記予告演出実行手段は、前記ステップアップ予告演出実行決定手段によりステップアップ予告演出を実行する旨の決定がなされたときに、現在のステージに対応する画像データを展開させ、前記識別情報の可変表示中にて前記ステージ移行制御手段によりステージの移行が行われたときに、移行元となる現在のステージに対応する画像データを用いたステップアップ予告演出の実行を停止する（例えば演出制御用ＣＰＵ１０１がステップＳ５０７Ａの処理を実行した後にステップＳ７４３の処理を実行する部分、及び、ステップＳ５２８Ａの処理を実行する部分など）ように構成されてもよい。
【手続補正９】
【補正対象書類名】明細書
【補正対象項目名】００１３
【補正方法】変更
【補正の内容】
【００１３】
（５）上記（４）の遊技機において、前記予告演出実行手段は、前記ステップアップ予告演出実行決定手段によりステップアップ予告演出を実行する旨の決定がなされた後、前記識別情報の可変表示中にて前記ステージ移行制御手段によりステージの移行が行われたときに、前記複数のステージに共通する画像データを用いたステップアップ予告演出を実行する（例えば演出制御用ＣＰＵ１０１がステップＳ５０７Ａ、５０７Ｂの処理を実行した後にステップＳ７４３の処理を実行する部分、及び、ステップＳ５２８Ｂの処理を実行する部分など）ように構成されてもよい。なお、複数のステージに共通する画像データは、ステージ移行制御手段によって移行可能な全ステージに共通する画像データであってもよいし、ステージ移行制御手段によって移行可能な全ステージのうち、少なくとも移行前のステージと移行後のステージとからなる２つのステージに共通の報知態様であってもよい。
【手続補正１０】
【補正対象書類名】明細書
【補正対象項目名】００１５
【補正方法】変更
【補正の内容】
【００１５】
（６）上記（２）から（５）のいずれかの遊技機において、前記識別情報の可変表示が開始されてから可変表示結果が導出表示されるまでに一旦非特定表示結果となる識別情報を仮停止させた後に全ての識別情報について可変表示を再度実行する再可変表示を１回又は複数回実行可能な再可変表示実行手段（例えば非リーチＰＡ１−５の変動パターンが指定されたときに、演出制御用ＣＰＵ１０１が、ステップＳ５０５の処理を実行した後にステップＳ７４３の処理を実行する部分など）と、前記複数のステージに共通の報知態様で、所定の再可変表示回数報知手段（例えば擬似連回数報知装置１２など）により前記再可変表示の実行回数を報知させる再可変表示回数報知制御手段（例えば演出制御用ＣＰＵ１０１が、ステップＳ５０９の処理を実行した後に、あるいは、ステップＳ５２９の処理を実行した後に、ステップＳ５２３にて読み出した報知装置制御データに基づきステップＳ７４９の処理を実行する部分など）とを備えるように構成されてもよい。なお、複数のステージに共通の報知態様は、ステージ移行制御手段によって移行可能な全ステージに共通の報知態様であってもよいし、ステージ移行制御手段によって移行可能な全ステージのうち、少なくとも移行前のステージと移行後のステージとからなる２つのステージに共通の報知態様であってもよい。また、再可変表示実行手段は、複数の可変表示部の一部にて識別情報を仮停止表示させた後に仮停止表示させた識別情報の全部又は一部について可変表示を再度実行する一部仮停止後再可変表示を１回又は複数回実行可能であり、再可変表示回数報知制御手段は、複数のステージに共通の報知態様で所定の報知手段により一部仮停止後再可変表示の実行回数を報知させてもよい。
【手続補正１１】
【補正対象書類名】明細書
【補正対象項目名】００１７
【補正方法】変更
【補正の内容】
【００１７】
（７）上記（２）から（５）のいずれかの遊技機において、前記識別情報の可変表示が開始されてから可変表示結果が導出表示されるまでに一旦非特定表示結果となる識別情報を仮停止させた後に全ての識別情報について可変表示を再度実行する再可変表示を１回又は複数回実行可能な再可変表示実行手段（例えば非リーチＰＡ１−５の変動パターンが指定されたときに、演出制御用ＣＰＵ１０１が、ステップＳ５０５の処理を実行した後にステップＳ７４３の処理を実行する部分など）を備え、前記ステージ移行制御手段は、前記再可変表示が実行される識別情報の可変表示が開始されてから可変表示結果が導出表示されるまで、前記複数のステージの間における移行を制限する（例えばステップＳ５２７ＢにおけるＹｅｓの判定に基づきステップＳ５２８Ｃの処理を実行する部分、あるいは、ステップＳ５２７ＣにおけるＹｅｓの判定に基づきステップＳ５２８Ｃ〜Ｓ５２８Ｅの処理を実行しない部分など）ように構成されてもよい。
【手続補正１２】
【補正対象書類名】明細書
【補正対象項目名】００１９
【補正方法】変更
【補正の内容】
【００１９】
（８）上記（６）または（７）の遊技機において、前記再可変表示に対応して実行される再可変表示演出として、第１再可変表示演出（例えば図３３及び図３４に示す期間Ａ１〜Ａ４における演出、図３１及び図３２に示す擬似連パターンＡ２〜Ａ４など）と、前記第１再可変表示演出及び前記第１再可変表示演出とは演出態様が異なる第２再可変表示演出を組み合わせた第３可変表示演出（例えば図３３及び図３４に示す期間ＡＢ１〜ＡＢ４における演出、図３１及び図３２に示す擬似連パターンＡＢ２−１〜ＡＢ２−３、擬似連パターンＡＢ３−１〜ＡＢ３−４、擬似連パターンＡＢ４−１〜ＡＢ４−４など）とを実行可能な再可変表示演出制御手段（例えば演出制御用ＣＰＵ１０１がステップＳ７３２にて決定した擬似連パターンに対応して、ステップＳ５０９にてセットした再変動演出制御パターンに基づきステップＳ５２５の演出制御指令処理を実行する部分など）と、再可変表示演出として、前記第１再可変表示演出又は前記第３再可変表示演出を選択する再可変表示演出選択手段（例えば演出制御用ＣＰＵ１０１がステップＳ７３２の処理を実行する部分など）とを備え、前記再可変表示演出選択手段は、前記事前決定手段によって前記特定遊技状態に制御する旨の決定がなされたときに、再可変表示演出として、前記第１再可変表示演出よりも高い割合で前記第３再可変表示演出を選択する（例えば擬似連パターン決定テーブル１７０Ａ、１７０Ｂにおいて、擬似連パターンＡＢ２−１〜ＡＢ２−３、擬似連パターンＡＢ３−１〜ＡＢ３−４、擬似連パターンＡＢ４−１〜ＡＢ４−４が、ハズレ時の変動パターンに比べて当り時の変動パターンにおいて選択されやすいように決定値が割り当てられていることなど）ように構成されてもよい。
【手続補正１３】
【補正対象書類名】明細書
【補正対象項目名】００２１
【補正方法】変更
【補正の内容】
【００２１】
（９）上記（２）から（８）のいずれかの遊技機において、前記事前決定手段によって前記特定遊技状態に制御しない旨の決定がなされたことに基づいて、前記識別情報の可変表示状態を所定のリーチ状態とするか否かを決定するリーチ決定手段（例えばＣＰＵ５６がステップＳ２６５〜Ｓ２６９の処理を実行する部分など）と、前記事前決定手段及び前記リーチ決定手段による決定結果に基づいて、前記識別情報の可変表示パターン種別を複数種類のいずれかに決定する可変表示パターン種別決定手段（例えばＣＰＵ５６がステップＳ２６２、Ｓ２６４、Ｓ２７０、Ｓ２７１の処理のいずれかを実行した後、ステップＳ２７２、Ｓ２７３の処理を実行する部分など）と、前記可変表示パターン種別決定手段によって決定された可変表示パターン種別に含まれる可変表示パターンの中から前記識別情報の可変表示パターンを決定する可変表示パターン決定手段（例えばＣＰＵ５６がステップＳ２７４〜Ｓ２７６の処理を実行する部分など）とを備えるように構成されてもよい。